(57)【要約】【課題】  電気、配管工事なにおいて、被測定部材等の水平、垂直の測定をして、即取付ができる水準器を内蔵したドライバーを提供するものである。【解決手段】  ネジを回すドライバーの把手の部分に水平、垂直を測定する気泡管を設ける。また把手の一端に水平基準面と垂直基準面を夫々を設けることで、壁面等に取付ける被測定部材をドライバーに内蔵した水準器で測定をして、即ネジ止めをして固定ができる水準器付ドライバーを提供するものである。【選択図】図１
2013215842.tif 000002
【特許請求の範囲】
【請求項１】
ネジ締め用ドライバーの把手部に、水平度を測定する水平気泡管と水平測定面に当接する水平基準面を設けたことを特徴とする水準器付ドライバー。
【請求項２】
ドライバーの把手の端部にツバ部を設けて、前記ツバ部に水平測定面に当接する水平基準面板を設けて、前記把手部に水平度を測定する気泡管を設けたことを特徴とする請求項１記載の水準器付ドライバー。
【請求項３】
ドライバーの把手部に水平度と垂直度を測定する気泡管を設けて、前記把手一端に水平測定面に当接する水平基準面設けて、前記把手の側面に垂直測定面に当接する垂直基準面を設けたことを特徴とする水準器付ドライバー。
【請求項４】
ドライバーの把手部に水平度を測定する水平気泡管を設けて、前記把手部に垂直度測定する垂直気泡管を設ける。前記把手部に水平測定面に当接する水平基準面設けて、前記把手部の頭部に垂直測定面に当接する垂直基準面を設けたことを特徴とする水準器付ドライバー。
【発明の詳細な説明】
【技術分野】
【０００１】
本発明は、電気工事、配管工事において、工作物をネジ止めにより取付において、工作物の水平度、あるいは垂直度の測定をして、ドライバーでネジを締め付け取付ける出来る工具に関する。
【背景技術】
【０００２】
従来、水準器を用いて工作物の取付体を壁面等に取付けるさい、水準器を用いて水平、若しくは垂直を正確に測定しながら取付けて、固定する必要がある。
【０００３】
水準器を工作物の取付け体に固定するとき、何度か繰り返しながらドライバー等を用いてネジを締めて固定する。
しかし、これらのことから作業効率が悪いものである。
【０００４】
そこで、測定物と接する側に磁石を固定し、磁気感応体に自力で接着できる水平器が提案されている。（例えば特許文献１参照）
【０００５】
また、水準器の一平面を再剥離粘着剤塗布面に形成し、その面に対称方向の平面には永久磁石体を設けてなる取付け具付水準器が提案されている。（例えば特許文献２参照)
【０００６】
また、手動工具（ドライバー）の振り柄に凹部を設け、この凹部に軸を設け、該軸に巻尺の始端を取付けると共に、該巻尺の終端を上記握り柄に形成してある袖出孔より外部に袖出しをして計測する巻尺付手動工具がある。（例えば特許文献３参照）
【先行技術文献】
【特許文献】
【０００７】
【特許文献１】実用新案公開  昭５４−１７２７５４号広報
【特許文献２】登録実用新案  第３０１１０９８号広報
【特許文献３】実用新案公開  昭４９−１３９９５広報
【発明の概要】
【発明が解決しようとする課題】
【０００８】
しかしながら、特許文献１、２においての水平器では下記のような問題がある。
永久磁石を設けたものにおいては、測定部材が鉄で構成の磁性体で磁石を吸着して、測定しながら取り付けが可能であるが、非磁性体では無理が生じる。
【０００９】
また、特許文献２においての再剥離粘着剤塗布面を用いた水準器においても、厚みの薄いが材料においては不向きである。例えば配線器具のコンセントプレート、モールド等様々である。
【００１０】
また、特許文献３のおいての巻尺を設けた手動工具では取付体に対して水平度、垂直度を正確にして取付、固定するには手間がかかり非効率的である。
【００１１】
以上のことから、エアコンの取付、メーター板などの建造物に取付体をネジで固定するにとき、ドライバーとは別に水準器を持たなければならない、また作業中置き忘れることもある。これらのことから連続的に取付作業では効率が悪い、とくに高所作業ではさらに効率が悪いものである。
【００１２】
そこで本発明は、上記の課題に鑑みて、ネジ締めのドライバーに水準器を設けることで取付体である水準測定をして、即ネジ締めをおこなう事で作業の速効性ができ作業の効率を高める水準器付ドライバーの提供を目的とする。
【課題を解決するための手段】
【００１３】
上記目的を達成するために、本発明はネジ締め用ドライバーの把手部に、水平度を測定する水平気泡管と水平測定面に当接する水平基準面を設けたことを特徴とする。
【００１４】
また、ドライバーの把手の端部にツバ部を設けて、前記ツバ部に水平測定面に当接する水平基準面板を設けて、前記把手部に水平度を測定する気泡管を設けたことを特徴とする。
【００１５】
また、ドライバーの把手部に水平度と垂直度を測定する気泡管を設けて、前記把手一端に水平測定面に当接する水平基準面を設けて、前記把手の側面に垂直測定面に当接する垂直基準面を設けたことを特徴とする。
【００１６】
また、  ドライバーの把手部に水平度を測定する水平気泡管を設けて、前記把手部に垂直度測定する垂直気泡管を設ける。前記把手部に水平測定面に当接する水平基準面を設けて、前記把手部の頭部に垂直測定面に当接する垂直基準面を設けたことを特徴とする。
【発明の効果】
【００１７】
本発明は、以上説明したように構成されているので、以下に記載されているような効果を奏する。
【００１８】
本発明を利用することで、電気工事や配管工事の取付板や配管などの取り付けにおいて、ドライバーに設けた水準器によって水平度を測定してネジを締めて固定することができる。このことから取付体を水準測定して、水平度が正確に確認できれば、即ネジ締めをおこなう事で様ざまな作業現場での速効性ができ、作業の効率を高めることである。
また、ネジ締め作業において、水準器がドライバー一体であることから、置き忘れがない便利さがある。
【００１９】
請求項３、４においては、前記請求項１、２と同様な効果が得られる。さらに水平度と垂直度の測定が容易に得られることで様ざまな工事の利用ができ効率よく作業ができるものである。
【図面の簡単な説明】
【００２０】
【図１】本発明の第一実施例の水準器付ドライバーの左側面図である。
【図２】図１の把手のＹ方向の気泡管側の要部正面図である。
【図３】図１の把手のＸ方向の水平基準面側の要部背面図である。
【図４】本発明の第一実施例の上面図である。
【図５】本発明の第二実施例の水準器付ドライバーの左側面図である。
【図６】図５の把手のＹ’方向の気泡管側の要部正面図である。
【図７】図５の把手のＸ’方向のツバ部に設けた水平基準面側の要部背面図である。
【図８】本発明の第二実施例の上面図である。
【図９】本発明の第三実施例の水準器付ドライバーの把手の側面に垂直基準面に設けた左側面図である。
【図１０】図９の把手のＹ”方向の気泡管側の要部正面図である。
【図１１】図９の把手のＸ”方向の水平基準側の要部背面図である。
【図１２】本発明の第三実施例の上面図である。
【図１３】本発明の第四実施例の水準器付ドライバーに水平と垂直の気泡管、及び水平と垂直の基準面を設けた左側面図である。
【図１４】図13の把手のＴ方向の水平気泡管側の要部正面図である。
【図１５】図13の把手のＳ方向の水平基準面側の要部背面図である。
【図１６】本発明の第四実施例の把手頭部に垂直基準面を設けた上面図である。
【図１７】壁面に取付体を取付ける状態で、水準器付ドライバーの水平基準面を取付体上端の水平測定面に当接した要部側面図である。
【図１８】図１７の正面図である。
【発明を実施するための形態】
【００２１】
本発明の実施の形態について図面を参照して説明する。
【００２２】
図１、図２、図３、及び図４は本発明の第一実施例に係る水準器付ドライバーの図である。
図１は本発明の第一実施例の水準器付ドライバーの全体の左側面図で把手部に設けた、水平基準面と気泡管を横から見た図である。図２は図１の把手のＹ方向の気泡管を見た要部正面図である。図３は図１の把手のＸ方向の水平基準面を見た要部背面図である。図４は本発明の第一実施例の上面図である。
図１７は壁面に取付体を取り付けるとき、本発明の水準器付ドライバーを用いて水平度を測定状態の要部側面図と図１８の正面図である。
【００２３】
１はドライバー本体である。２はドライバーを握って回動する把手である。７はドライバー軸で、８は先端部、６は把手頭部である。
３は把手２に埋めこんだ気泡管である。５は気泡管３を包むように合成樹脂製で設けることで気泡３Ａを見えるようした透明材である。
４は把手３に設けた気泡管３の反対側の一端に設けた水平基準面である。
Ａは取付体で、Ｂは壁面である。
【００２４】
したがって、上記の構成により電気工事、配管工事などで壁面Ｂに取付体Ａを水平に取付、固定するとき取付体Ａを仮止めして、取付体Ａの上端の水平測定面にドライバー本体１の把手２の水平基準面４を当接して気泡管３の気泡３Ａを見ながら取付体Ａを調整して水平度を測定する。正確な水平度が確定すると即ドライバー本体１の先端部８によってネジを締付けて固定することで効率的な作業ができるものである。
【００２５】
図５、図６、図７、及び図８は本発明の第二実施例に係る水準器付ドライバーの図である。
図５は第二実施例の水準器付ドライバーの全体の左側面図で、水平基準面と気泡管を横から見た図である。図５は図６の把手のＹ’方向の気泡管を見た要部正面図である。図７は図５の把手のＸ’方向の水平基準面を見た要部背面図である。図８は本発明の第二実施例の上面図である。
【００２６】
１１はドライバー本体である。２１はドライバーを握って回動する把手である。７１はドライバー軸で８１は先端部、６１は把手頭部である。
３１は把手２１部に埋めこんだ気泡管である。５１は気泡管３１を包むように合成樹脂製で設けることで気泡３１Ａを見えるようした透明材である。
９１は把手２１の下部に設けたツバ部である。
４１は把手３１ツバ部９１に設けた水平基準面である。前記水平基準面４１はツバ部９１の一辺を水平に形成することにより安定に測定をできるように設ける。
【００２７】
したがって、上記の構成により壁面Ｂに取付体Ａを水平に取付、固定するとき取付体Ａを仮止めして、取付体Ａの上端の水平測定面にドライバー本体１１の把手２１の下部に設けたツバ部９１の水平基準面４１を当接して気泡管３１の気泡３１Ａを見ながら取付体Ａを調整して水平度を測定する。正確な水平度が確定すると即ドライバー本体１１の先端部８１によってネジを締付けて固定することで効率的な作業ができるものである。
また、水平基準面４１がツバ部９１に設けることで、把手２１が回動しやすいことでネジを締付けることが容易である。
【００２８】
図９、図１０、図１１、及び図１２は本発明の第三実施例に係る水準器付ドライバーの図である。
図９は第三実施例の水準器付ドライバーの全体の左側面図で、垂直基準面を正面にして、水平基準面と気泡管を横から見た図である。図１０は図９の把手のＹ“方向の気泡管を見た要部正面図である。図１１は図９の把手のＸ”方向の水平基準面を見た要部背面図である。図１２は本発明の第三実施例の上面図である。
【００２９】
１２はドライバー本体である。２２はドライバーを握って回動する把手である。７２はドライバー軸で８２は先端部、６２は把手頭部である。
３２は把手２２部に埋めこんだ気泡管である。５２は気泡管３２を包むように合成樹脂製で設けることで気泡３２Ａを見えるようした透明材である。
４２は把手３１に設けた気泡管３２の反対側の一端に設けた水平基準面である。
前記把手３２の両側面に垂直基準面１０は垂直基準面１０の面状の中央に溝を設けることでパイプ等の垂直測定を容易にするものである。
【００３０】
したがって、上記の構成により壁面Ｂの取付体Ａを水平に固定する作業は前記第一実施例に述べたことと同様である。
垂直の測定においては、パイプなどの垂直取付、特にアンテナのマストなどの垂直に設置工事においてはパイプの側面にドライバー本体１２の把手２２の両側面に設けた垂直基準面１０の一方を利用して、前記垂直基準面１０の溝に合わせるように当接する。この状態で把手２２に設けた気泡管３２の気泡３２Ａの位置を見ながら測定をして、位置確定をして固定をする。
【００３１】
図１３、図１４、図１５、及び図１６は本発明の第三実施例に係る水準器付ドライバーの図である。
図１３は第四実施例の水準器付ドライバーの全体の左側面図で、左側面に垂直気泡管２０を設けた面を正面にして、水平基準面と気泡管を横から見た図である。図１４は図１３の把手のＹ“方向の気泡管を見た要部正面図である。図１５は図１１の把手のＸ”方向の水平基準面を見た要部背面図である。図１６は本発明の第四実施例で、把手頭部に垂直規準面を設けた上面図である。
【００３２】
１３はドライバー本体である。２３はドライバーを握って回動する把手である。７３はドライバー軸で８は先端部である。
６３は把手頭部である。１０Ａは把手頭部６３の上面に設けた垂直基準面である。前記垂直基準面１０Ａの中央に溝を設ける。
２０は左側側面の中央で垂直に設けた垂直気泡管である。
３３は把手２３に埋めこんだ水平気泡管である。５３は水平気泡管３３を包むように合成樹脂製で設けることで気泡３３Ａを見えるようした透明材である。
４３は把手３３に設けた気泡管３の反対側の一端に設けた水平基準面である。
【００３３】
したがって、上記の構成により壁面Ｂの取付体Ａを水平に固定する作業は前記第一実施例に述べたことと同様である。
垂直の測定においては、垂直気泡管20と把手頭部６３に設けた垂直基準面１０Ａを被測定体に当接して測定をおこなう。
よって、パイプなどの垂直取付、特にアンテナのマストなどの垂直に設置工事においてはパイプの側面にドライバー本体１３の把手頭部６３の垂直基準面１０Ａの溝に合わせるように当接する。この状態で把手２３に設けた垂直気泡管２０の気泡２０Ａの位置を見ながら測定をして、位置確定をして固定をする。
【００３４】
よって、水平度、垂直度の測定ができ、別途に水準器を持ち歩く必要がないものである。
【符号の説明】
【００３５】
１、１１，１２，１３はドライバー本体                                  
２、２１、２２、２３は把手  
３、３１、３２、は気泡管
３３は水平気泡管
３Ａ，３１Ａ、３２Ａ，３３Ａは気泡
４、４１、４２、４３は水平基準面
５、５１、５２、５３は透明材      
６、６１，６２、６３は把手頭部
７、７１、７２、７３はドライバー軸  
８、８１、８２、８３は先端部  
９１はツバ部                                
１０は垂直基準面
２０は垂直気泡管    
２０Ａは垂直気泡
Ａは取付体
Ｂは壁面
【図１】
2013215842.tif 000003
【図２】
2013215842.tif 000004
【図３】
2013215842.tif 000005
【図４】
2013215842.tif 000006
【図５】
2013215842.tif 000007
【図６】
2013215842.tif 000008
【図７】
2013215842.tif 000009
【図８】
2013215842.tif 000010
【図９】
2013215842.tif 000011
【図１０】
2013215842.tif 000012
【図１１】
2013215842.tif 000013
【図１２】
2013215842.tif 000014
【図１３】
2013215842.tif 000015
【図１４】
2013215842.tif 000016
【図１５】
2013215842.tif 000017
【図１６】
2013215842.tif 000018
【図１７】
2013215842.tif 000019
【図１８】
2013215842.tif 000020